(57)【要約】      （修正有）【課題】複数の応援用発光装置を用いて、公演会場における座席が配列された観客席に画像（文字や図形などのパターン）を効率的に演出する画像演出方法を提供する。【解決手段】座席ごとに配置される応援用発光装置の発光を制御することで、特定の画像演出区間にて、観客席上に少なくとも一つの画像を演出するために、複数の応援用発光装置のうちで、特定画像演出区間にて同一の色に発光するものについて、同一のグループに設定し、同一のグループ割当情報を割り当てる段階と、チケット情報を基に獲得される座席位置情報に対応させるようにして、グループ割当情報を複数の応援用発光装置に記録する段階とを含む。【選択図】図１
2020004703.tif 000002
【特許請求の範囲】
【請求項１】
複数の応援用発光装置を用いて、公演会場における座席が配列された観客席に画像を演出する画像演出方法において、
座席ごとに配置される応援用発光装置の発光を制御することで、特定の画像演出区間にて、前記観客席上に少なくとも一つの画像を演出するために、複数の応援用発光装置のうちで、前記特定の画像演出区間にて同一の色に発光するものについて、同一のグループに設定し、同一のグループ割当情報を割り当てる段階と、
前記特定の画像演出区間における、前記グループ割当情報と、前記グループの発光色に関するグループ発光色情報とを連結させて画像演出マッピングデータを生成する段階と、
チケット情報を基に獲得される、観客席内における座席の位置を示す座席位置情報に対応させるようにして、前記画像演出マッピングデータにおける前記グループ割当情報を、前記複数の応援用発光装置に記録する段階と、
公演進行中に、前記特定の画像演出区間に対応する前記画像演出マッピングデータを、無線で前記観客席内に伝播する段階と、
前記複数の応援用発光装置に受信される、前記画像演出マッピングデータのうちの、応援用発光装置ごとに記録された前記グループ割当情報に対応する、前記グループ発光色情報にしたがって、前記複数の応援用発光装置を発光させることで前記観客席上に前記画像を演出する段階と、
を含む画像演出方法。
【請求項２】
複数の応援用発光装置を用いて、公演会場における座席が配列された観客席に画像を演出する画像演出方法において、
座席ごとに配置される応援用発光装置の発光を制御することで、特定の画像演出区間にて、前記観客席上に少なくとも一つの画像を演出するために、複数の応援用発光装置のうち、前記特定の画像演出区間にて同一の色に発光する一部の応援用発光装置について、同一グループに設定し、同一のグループ割当情報を割り当てる段階と、
チケット情報を基に獲得される、観客席内における座席の位置を示す座席位置情報に対応させるようにして、画像を演出する前に、前記グループ割当情報を前記複数の応援用発光装置に記録する段階と、
を含む画像演出方法。
【請求項３】
前記特定の画像演出区間における前記グループ割当情報と前記グループの発光色に関するグループ発光色情報とを連結させて画像演出マッピングデータを生成する段階と、
公演進行中に、前記特定の画像演出区間に対応する前記画像演出マッピングデータを、無線で前記観客席内に伝播する段階と、
を更に含むことを特徴とする請求項２に記載の画像演出方法。
【請求項４】
前記特定の画像演出区間における前記グループ割当情報と前記グループの発光色に関するグループ発光色情報とを連結させて画像演出マッピングデータを生成する段階と、
前記複数の応援用発光装置に提供される、前記画像演出マッピングデータのうちの、応援用発光装置ごとに記録された前記グループ割当情報に対応する、前記グループ発光色情報にしたがって前記複数の応援用発光装置を発光させることで前記観客席上に前記画像を演出する段階と、
を更に含むことを特徴とする請求項２に記載の画像演出方法。
【請求項５】
公演会場における座席が配列された観客席中に、複数の座席にそれぞれ対応して配置される複数の応援用発光装置を用いて、観客席に画像を演出する画像演出方法において、
前記複数の応援用発光装置が、第１画像演出シーンを観客席上に演出するために、制御装置から送られた第１制御信号を受信する段階と、
前記複数の応援用発光装置のそれぞれに予め格納されている、前記第１画像演出シーンでのグループ割当情報を照会する段階と、
前記複数の応援用発光装置のうち、前記第１画像演出シーンにて同一のグループ割当情報を有する第１Ａ応援用発光装置グループは、前記第１制御信号にしたがって同一のグループ発光色情報を基に、同一の色に発光する段階とを含み、
前記第１制御信号は、前記第１画像演出シーンを演出するために、互いに、対をなすように連結されている複数のグループ割当情報と前記グループに関するグループ発光色情報とを含み、
前記第１制御信号は、前記第１画像演出シーンにて、前記第１Ａ応援用発光装置グループと異なるグループ割当情報を有する、第１Ｂ応援用発光装置グループに関する発光色情報を含む画像演出方法。
【請求項６】
前記複数の応援用発光装置が、前記第１画像演出シーンと異なる第２画像演出シーンを観客席上に演出するために、前記制御装置から送られた第２制御信号を受信する段階と、
前記複数の応援用発光装置のそれぞれに予め格納されている前記第２画像演出シーンでのグループ割当情報を照会する段階と、
前記複数の応援用発光装置のうち、前記第２画像演出シーンにて同一のグループ割当情報を有する第２Ａ応援用発光装置グループが、前記第２制御信号にしたがって同一のグループ発光色情報を基に、同一の色に発光する段階とを更に含み、
前記第２制御信号は、前記第２画像演出シーンを演出するために、互いに、対をなすように連結されている複数のグループ割当情報と前記グループに関するグループ発光色情報とを含み、
前記第１Ａ応援用発光装置グループに属する前記複数の応援用発光装置と、前記第２Ａ応援用発光装置グループに属する前記複数の応援用発光装置とが、互いに異なることを特徴とする請求項５に記載の画像演出方法。
【請求項７】
前記複数の応援用発光装置は、
互いに独立して発光することで前記観客席上に画像を演出し、これにより、前記第１画像演出シーン又は前記第２画像演出シーンを演出するために、互いに、対をなすように連結されている、前記グループ割当情報と、前記グループ発光色情報のうち前記グループ割当情報とを、前記第１制御信号又は前記第２制御信号の受信前に予め格納していることを特徴とする請求項５又は６に記載の画像演出方法。
【請求項８】
公演会場における座席が配列された観客席中に、複数の座席にそれぞれ対応して配置される複数の応援用発光装置を用いて、観客席に画像を演出する画像演出方法において、
座席情報処理装置が、入場チケットに含まれている座席の情報を読み取ることで、座席ごとの位置を示す座席位置情報を獲得する段階と、
前記座席情報処理装置が、前記座席位置情報に該当する座席の位置に既に設定されている画像演出マッピングデータを基に、画像演出シーンごとに観客席上に演出しようとするイメージに対応して、前記複数の応援用発光装置のうちの同一の色に発光するものである第１応援用発光装置を同一のグループに設定するグループ割当情報を、各第１応援用発光装置に記録させる段階とを含み、
前記グループ割当情報は、互いに異なる画像演出シーンごとに、演出シーンを特定する演出シーン識別情報と、第１応援用発光装置が属するグループを特定するグループ特定情報とが組み合わされたマッピング情報を含む画像演出方法。
【請求項９】
複数の応援用発光装置を用いて、公演会場における座席が配列された観客席に画像を演出する画像演出システムにおいて、
座席ごとに配置される応援用発光装置の発光を制御することで、特定の画像演出区間にて、前記観客席上に少なくとも一つの画像を演出するために、複数の応援用発光装置のうちで、前記特定の画像演出区間にて同一の色に発光するものについて、同一のグループに設定し、同一のグループ割当情報を割り当てる第１サーバと、
前記第１サーバと接続され、チケット情報を基に獲得される、観客席内の座席ごとの位置を示す座席位置情報に対応して、前記グループ割当情報を、前記複数の応援用発光装置に記録させる座席情報処理装置と、
を含む画像演出システム。
【請求項１０】
公演進行中に、前記特定の画像演出区間に対応する前記画像演出マッピングデータを、無線で観客席内の前記複数の応援用発光装置に伝播する制御装置を更に含み、
前記制御装置は、前記複数の応援用発光装置にて受信された前記画像演出マッピングデータのうちから、応援用発光装置にそれぞれ記録されている前記グループ割当情報に対応する発光色情報が選択され、このように選択された発光色情報ににしたがって、前記複数の応援用発光装置を発光させるようにし、これにより、前記観客席上に前記画像を演出することを特徴とする請求項９に記載の画像演出システム。
【請求項１１】
複数の応援用発光装置を用いた公演会場における客席画像演出システムにおいて、
第１画像演出シーンを客席上に実現するために、外部から送られた第１制御信号を無線で受信する第１応援用発光装置及び第２応援用発光装置を含み、
前記第１制御信号は、前記第１画像演出シーンを演出するために、互いに対をなすように連結されている、複数のグループ割当情報と、グループごとの発光色情報とを含み、
前記第１応援用発光装置は、前記第１画像演出シーンに対応して、予め自身の中に記録されているグループ割当情報を基にして、前記第１制御信号から、このグループ割当情報と対応する発光色情報を獲得し、
前記第１応援用発光装置は、グループごとの発光色情報に対応して前記第１画像演出シーンにて、所定の色に発光する、画像演出システム。
【請求項１２】
前記第２応援用発光装置は、前記第１応援用発光装置と同一の前記グループ割当情報を含み、
前記第１画像演出シーンにて、前記第２応援用発光装置は前記第１応援用発光装置と同一の色に発光することを特徴とする請求項１１に記載の画像演出システム。
【請求項１３】
前記第２応援用発光装置は、前記第１応援用発光装置と異なる前記グループ割当情報を含み、
前記第１画像演出シーンにて、前記第２応援用発光装置は前記第１応援用発光装置と異なる色に発光することを特徴とする請求項１１に記載の画像演出システム。
【発明の詳細な説明】
【技術分野】
【０００１】
本発明は、応援用発光装置を用いた公演会場における画像演出方法及びこれを用いた画像演出システムに関する。
【背景技術】
【０００２】
一般に、発光装置は、単色または複数色のLEDなどによる光源と、光源からの発光のオンオフなどを制御できる制御部とを備え、必要に応じて、光源からの光を反射、屈折または拡散させて、光に指向性を持たせり、光を拡散させたりする集光・拡散部を備えうる。特に、発光装置は、複数が配列された場合、それぞれが点状の光源として捉えられうる。また、各発光装置は、例えば、赤色、緑色及び青色(ＲＧＢの三原色)のＬＥＤを備えることで、複数色に発光可能でありうる。さらに、場合により、各発光装置は、各原色での輝度を階調（例えば２５６階調）制御することができ、これにより、任意の色彩及び明度を表現するものでありうる。
【０００３】
技術の発展に伴い、発光装置は多様な用途に用いられている。一例として、発光装置はメディアファサード（Ｍｅｄｉａ ｆａｃａｄｅ）を演出するのに用いられる。メディアファサードとは、建物の外壁などに発光装置を配列して設置し、画像（文字や図形などのパターン）を表示するメディア機能を実現するものをいう。
【０００４】
他の例として、発光装置は、一定照度以下の環境で行われるスポーツ競技やコンサートなどで小型応援グッズとして用いられることもある。ところが、このような環境では複数の発光装置が個別に、それぞれの観客により操作または制御されるため、体系的な発光制御によって画像を描き出す（演出する）といったことは困難である。また、観客同士が、互いに声を掛け合ったり、連絡しあったりして、発光装置による特定の発光のパターンを作り出すというだけでは、期待通りの応援効果が得られ難いことがありうる。
【０００５】
そのため、このような問題を具体的に解決するために、複数の発光装置を一括して制御し、このような制御によってスポーツ競技やコンサートなどの公演会場で多様な公演を演出できる方策の導入が要求されているのが現状である。
【発明の概要】
【発明が解決しようとする課題】
【０００６】
そこで、本発明は上記事情に鑑みてなされたものであって、その目的は、複数の応援用発光装置を用いて公演会場の観客席に描き出される画像の演出方法及びこれを用いた画像演出システムを提供することにある。
【０００７】
また、本発明の他の目的は、応援用発光装置をグループ化し、グループ別に制御する方法及び装置を提供することにある。
【０００８】
本発明が解決しようとする課題は、以上で言及された課題に限定されず、言及されていない他の課題は、以下の記載から通常の技術者が明確に理解できるはずである。
【課題を解決するための手段】
【０００９】
本発明の一実施形態に係る複数の応援用発光装置を用いた公演会場における座席が配列された観客席に画像を演出する(描き出す)画像演出方法は、個別の観客に対応する座席ごとに応援用発光装置を配置し、これら応援用発光装置の発光（特には、色）をそれぞれ制御することで、特定画像演出区間にて、前記公演会場の観客席（座席が配列された部分）に画像（文字、図形、模様などのパターン）を描き出すべく、(1) 複数の応援用発光装置のうちで、前記特定画像演出区間にて同一の色に発光するものについて、同一のグループに設定して、同一のグループ割当情報を割り当てる段階と、(2) 前記特定画像演出区間における、前記グループ割当情報と、前記グループの発光色に関するグループ発光色情報とを連結させた画像演出マッピングデータを生成する段階と、(3) チケット情報を基に獲得した観客席内の座席位置情報に対応して、前記画像演出マッピングデータにおける前記グループ割当情報を、対応する応援用発光装置に記録する段階と、(4) 公演進行中に、前記特定の画像演出区間に対応する前記画像演出マッピングデータを、無線で前記公演会場内に伝播する段階と、(5) 前記複数の応援用発光装置により受信された前記画像演出マッピングデータのうちで、各々に記録された前記グループ割当情報に対応する前記グループ発光色情報にしたがって前記複数の応援用発光装置を発光させることで、前記観客席上に画像を演出する段階とを含む。
【００１０】
本発明の他の実施形態に係る複数の応援用発光装置を用いた公演会場における客席画像演出方法は、前記公演会場の個別の客席に対応する前記複数の応援用発光装置を選択的に点灯又は滅灯し、特定画像演出区間で前記公演会場の観客席上に画像を演出するために、複数の応援用発光装置のうち前記特定画像演出区間で同一の色に発光する一部の応援用発光装置を同一グループに設定し、同一のグループ割当情報を割り当てる段階と、チケット情報を基に獲得した客席内の座席位置情報に対応する前記グループ割当情報を前記複数の応援用発光装置に記録する段階とを含む。
【００１１】
本発明の一実施形態において、前記特定画像演出区間での前記グループ割当情報及び前記グループの発光色に関するグループ発光色情報を連結させた画像演出マッピングデータを生成する段階と、公演進行過程中に前記特定画像演出区間に対応する前記画像演出マッピングデータを無線で前記公演会場内に伝播する段階とを更に含むことができる。
【００１２】
本発明の一実施形態において、前記特定画像演出区間での前記グループ割当情報及び前記グループの発光色に関するグループ発光色情報を連結させた画像演出マッピングデータを生成する段階と、前記複数の応援用発光装置に提供された前記画像演出マッピングデータのうち各々に記録された前記グループ割当情報に対応する前記グループ発光色情報によって前記複数の応援用発光装置を点灯させて前記公演会場の前記客席上に前記イメージを実現する段階とを更に含むことができる。
【００１３】
本発明の他の実施形態に係る公演会場の観客席領域に配置される複数の応援用発光装置を用いた公演会場における客席画像演出方法は、前記複数の応援用発光装置が第１画像演出シーンを客席上に実現するために、制御装置から送られた第１制御信号を受信する段階と、前記複数の応援用発光装置のそれぞれに予め格納されている前記第１画像演出シーンでのグループ割当情報を照会する段階と、前記複数の応援用発光装置のうち前記第１画像演出シーンで同一のグループ割当情報を有する第１Ａ応援用発光装置グループは、前記第１制御信号によって同一のグループ発光色情報を基に同一の色に発光する段階とを含み、前記第１制御信号は、前記第１画像演出シーンを実現するために対をなすように互いに連結されている複数のグループ割当情報及び当該グループに関する発光色情報を含み、前記第１制御信号は、前記第１画像演出シーンで前記第１Ａ応援用発光装置グループと異なるグループ割当情報を有する第１Ｂ応援用発光装置グループに関する発光色情報を含む。
【００１４】
本発明の一実施形態において、前記複数の応援用発光装置が前記第１画像演出シーンと異なる第２画像演出シーンを客席上に実現するために、前記制御装置から送られた第２制御信号を受信する段階と、前記複数の応援用発光装置のそれぞれに予め格納されている前記第２画像演出シーンでのグループ割当情報を照会する段階と、前記複数の応援用発光装置のうち前記第２画像演出シーンで同一のグループ割当情報を有する第２Ａ応援用発光装置グループが前記第２制御信号にしたがって同一のグループ発光色情報を基に同一の色に発光する段階とを更に含み、前記第２制御信号は、前記第２画像演出シーンを実現するために対をなすように互いに連結されている複数のグループ割当情報及び当該グループに関する発光色情報を含み、前記第１Ａ応援用発光装置グループ及び前記第２Ａ応援用発光装置グループにそれぞれ属する前記複数の応援用発光装置が互いに異なり得る。
【００１５】
本発明の一実施形態において、前記複数の応援用発光装置は、前記公演会場の個別の座席に対応して互いに独立して点灯又は滅灯し、前記公演会場の座席上に画像を演出し、前記第１画像演出シーン又は前記第２画像演出シーンを実現するために互いに対をなすように連結されている前記グループ割当情報と前記発光色情報のうち前記グループ割当情報を前記第１制御信号又は前記第２制御信号の受信前に予め格納することができる。
【００１６】
本発明の更に他の実施形態に係る公演会場の観客席領域に配置される複数の応援用発光装置を用いた公演会場における画像演出方法は、座席情報処理装置が入場チケットに含まれている座席情報を読み取り、前記座席位置情報を獲得する段階と、前記座席情報処理装置が、前記座席位置情報に当該する個別の座席位置に既に設定された画像演出マッピングデータを基に、複数の画像演出シーンのそれぞれ毎に観客席上に演出しようとする画像に対応して同一の色に発光する前記複数の応援用発光装置の一部を同一グループに設定するグループ割当情報を前記複数の応援用発光装置のうち第１応援用発光装置に記録する段階とを含み、前記グループ割当情報は、互いに異なる前記複数の画像演出シーンに関する識別情報及び各画像演出シーンで前記第１応援用発光装置が属するグループに関するマッピング情報を含む。
【００１７】
本発明の更に別の実施形態に係る複数の応援用発光装置を用いた公演会場における客席画像演出システムは、前記公演会場の個別の客席に対応する前記複数の応援用発光装置を選択的に点灯又は滅灯し、特定画像演出区間で前記公演会場の観客席上にイメージを実現するために、複数の応援用発光装置のうち前記特定画像演出区間で同一の色に発光する一部の応援用発光装置を同一グループに設定し、同一のグループ割当情報を割り当てる第１サーバと、前記第１サーバと接続され、チケット情報を基に獲得した客席内の座席位置情報に対応する前記グループ割当情報を前記複数の応援用発光装置に記録する座席情報処理装置とを含む。
【００１８】
本発明の一実施形態において、公演進行過程中に前記特定画像演出区間に対応する前記画像演出マッピングデータを無線で前記公演会場内の前記複数の応援用発光装置に伝播する制御装置を更に含み、前記制御装置は、前記複数の応援用発光装置に受信された前記画像演出マッピングデータのうち各々に記録された前記グループ割当情報に対応する前記発光色情報によって前記複数の応援用発光装置を発光させて前記公演会場の前記客席上に前記画像を演出することができる。
【００１９】
本発明の更に他の実施形態に係る複数の応援用発光装置を用いた公演会場における客席画像演出システムは、第１画像演出シーンを客席上に実現するために、外部から送られた第１制御信号を無線で受信する第１応援用発光装置及び第２応援用発光装置を含み、前記第１制御信号は、前記第１画像演出シーンを実現するために互いに対をなすように連結されている複数のグループ割当情報及び前記グループに関する発光色情報を含み、前記第１応援用発光装置は、前記第１画像演出シーンに対応して予め自体に記録されている前記グループ割当情報を基に前記第１制御信号内の前記グループ割当情報と対応する前記グループ発光色情報を獲得し、前記第１応援用発光装置は、前記グループ発光色情報に対応して前記第１画像演出シーンで所定の色に発光することができる。
【００２０】
本発明の一実施形態において、前記第２応援用発光装置は前記第１応援用発光装置と同一の前記グループ割当情報を含み、前記第１画像演出シーンで、前記第２応援用発光装置は前記第１応援用発光装置と同一の色に発光することができる。
【００２１】
本発明の一実施形態において、前記第２応援用発光装置は、前記第１応援用発光装置と異なる前記グループ割当情報を含み、前記第１画像演出シーンで、前記第２応援用発光装置は前記第１応援用発光装置と異なる色に発光することができる。
【発明の効果】
【００２２】
本発明によれば、公演会場における公演の演出時に応援用発光装置をグループ単位で制御できるので、応援用発光装置の個別制御に比べて効率的に周波数帯域を用いることができるほか、制御信号の遅延時間を短縮することができるという効果を奏する。また、応援用発光装置のグループ単位の制御によりリアルタイムで同時に制御することができる。
【００２３】
本発明によれば、公演会場における公演の演出時に応援用発光装置の発光状態をリアルタイムで変更して演出できるので、状況に応じて多様な演出シーン及び発光効果を容易に提供できる。
【００２４】
本発明の効果は、以上で言及された効果に制限されず、言及されていない他の効果は、以下の記載から通常の技術者が明確に理解できるはずである。
【図面の簡単な説明】
【００２５】
【図１】本発明の一実施形態に係る公演会場における画像演出のための発光制御システムの構成を概略的に示す図である。
【図２】本発明の一実施形態に係る発光制御システムが適用され得る公演会場の概略的な様子を示す図である。
【図３】本発明の一実施形態に係る制御装置の構成を示す図である。
【図４】本発明の一実施形態に係る応援用発光装置の構成を示す図である。
【図５】本発明の一実施形態に係る座席情報処理装置の構成を示す図である。
【図６】本発明の一実施形態に係る公演会場における画像演出方法として制御装置１００により行われる事前の画像演出準備過程を示すフローチャートである。
【図７】本発明の一実施形態に係る公演会場における画像演出方法として応援用発光装置２００により行われる事前画像演出準備過程を示すフローチャートである。
【図８】本発明の一実施形態に係る公演会場における画像演出方法として公演中に行われる過程を示すフローチャートである。
【図９】本発明の一実施形態に係る公演会場における画像演出方法として制御装置１００により公演中に行われる過程の一例を示すフローチャートである。
【図１０】本発明の一実施形態に係る公演会場における画像演出方法として応援用発光装置２００により公演中に行われる過程の一例を示すフローチャートである。
【図１１】本発明の一実施形態に係る公演会場における画像演出方法として座席情報処理装置３００により行われる事前画像演出準備過程の一例を示すフローチャートである。
【図１２】本発明の一実施形態に係る公演会場における画像演出方法として座席情報処理装置３００により行われる事前画像演出準備過程の他の例を示すフローチャートである。
【図１３】本発明の一実施形態によって公演会場の観客席で演出される演出シーンの一例を示す図である。
【図１４】本発明の一実施形態によって公演会場の観客席で演出される演出シーンのグループ情報を説明する図である。
【発明を実施するための形態】
【００２６】
本発明の利点及び特徴、そしてそれらを達成する方法は、添付の図面と共に詳細に後述されている実施形態を参照すれば明確になるはずである。しかし、本発明は以下で開示される実施形態に限定されるものではなく、互いに異なる多様な形態で実現することができる。但し、本実施形態は本発明の開示を完全なものにし、本発明が属する技術分野における通常の技術者に本発明の範疇を完全に理解させるために提供されるものであり、本発明は請求範囲の範疇により定義されるに過ぎない。
【００２７】
本明細書で用いられた用語は、実施形態を説明するためのものであり、本発明を制限しようとするものではない。本明細書において、単数型は特に言及しない限り複数型も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のぞれぞれ及び１つ以上のあらゆる組み合わせを含む。たとえ、「第１」、「第２」などが多様な構成要素を叙述するために用いられていても、これらの構成要素はこれらの用語により制限されないのはもちろんである。これらの用語は、単に１つの構成要素を他の構成要素と区別するために用いる。従って、以下で言及される第１構成要素は、本発明の技術的思想内で第２構成要素であることもできるのはもちろんである。
【００２８】
他の定義がなければ、本明細書で用いられる全ての用語（技術及び科学的用語を含む）は、本発明が属する技術分野における通常の技術者が共通して理解できる意味として使用され得る。また、一般に用いられる辞典に定義されている用語は、明白に特に定義されていない限り、理想的に又は過度に解釈されない。
【００２９】
以下、添付の図面を参照し、本発明の実施形態を詳細に説明する。
【００３０】
図１は、本発明の一実施形態に係る公演会場における画像演出のための発光制御システムの構成を概略的に示す図である。
【００３１】
図１を参照すれば、本発明の一実施形態に係る公演会場における画像演出のための発光制御システム１０（以下、発光制御システムという）は、制御装置１００及び応援用発光装置（２００_１、２００_２、…、２００_ｎ、以下２００）を含むことができる。このような発光制御システム１０は、制御装置１００が応援用発光装置２００の発光状態を制御することによって、公演会場の観客席での応援などのような画像演出のための多様な形態の発光パターンを演出することができる。
【００３２】
制御装置１００は、公演会場における画像演出のために多数の応援用発光装置２００を制御する機能を行うことができる。一実施形態として、制御装置１００は、公演運営者（主催者側の担当者）が管理するスマートフォン、タブレット、デスクトップパソコン、ラップトップパソコン、ネットブックなどといった通信端末機能及びコンピュータ機能を備えた電子装置（以降、スマート機器と呼ぶ）でありうるのであり、又はこのような電子装置の構成のうち一部を含むか、これと連動し得る多様な形態で構成されうる。
【００３３】
応援用発光装置２００は、制御装置１００によりリアルタイムで、又は予め定められた制御情報によって多様な形態の発光パターンを演出する機能を行うことができる。一実施形態として、応援用発光装置２００は光源を含む装置であって、スポーツ競技やコンサートなどの公演会場で用いられる小型応援グッズであり得る。
【００３４】
制御装置１００及び応援用発光装置２００は多様な方式で通信を行うことができ、例えばＲＦ通信又は電子タグなどのような無線通信で接続することができる。
【００３５】
図２は、本発明の一実施形態に係る発光制御システムが適用され得る公演会場の概略的な様子を示す図である。
【００３６】
図２を参照すれば、公演会場はスポーツ競技又はコンサートなどのような公演を行うための場所であって、例えば舞台又は競技場、観客席などで構成されることができる。また、公演会場には公演のために必要な各種装置（例えば、音響装置、照明装置など）が配置され、このような装置の動作を調整し、制御できる制御コンソールなどを含む中央制御装置が備えられることができる。
【００３７】
本発明の一実施形態に係る制御装置１００及び応援用発光装置２００を含む発光制御システム１０は、図２に示すような公演会場に適用されうる。一実施形態として、制御装置１００は公演会場内に配置されて応援用発光装置２００を制御でき、応援用発光装置２００は観客席に配置されて制御装置１００の制御により多様な発光状態を演出することができる。ここで、応援用発光装置２００のそれぞれは、観客席の配置図によって観客席それぞれに対応して配置されることができる。
【００３８】
また、制御装置１００は、ファイル（データ）サーバとしての中央制御装置に接続されて動作してもよく、中央制御装置に含まれて構成されてもよい。更に、制御装置１００は、中央制御装置から信号を受信して、公演会場内の音響装置、照明装置などと同期化して作動するものであってもよく、これにより、音響装置、照明装置と共に応援用発光装置２００を同期化して、自動的に画像演出を行うものであってもよい。
【００３９】
図３は、本発明の一実施形態に係る制御装置の構成を示す図である。
【００４０】
図３を参照すれば、本発明の一実施形態に係る制御装置１００は、情報生成部１１０、中央格納部１２０、情報提供部１３０、及び中央制御部１４０を含むことができる。
【００４１】
情報生成部１１０は、公演会場で行われる公演時間中、応援用発光装置２００を用いて演出する演出シーン（シーン；ｓｃｅｎｅ）を生成し、この際、演出シーンに応じて画像演出区間別に演出シーンをそれぞれ構成することができる。例えば、第１画像演出区間（例えば、第１時間）では第１演出シーン（例えば、第１シーン）を生成し、第２画像演出区間（例えば、第２時間）では第２演出シーン（例えば、第２シーン）を生成することができる。図１３に示すように、円形スタジアム（公演会場）内の観客席が構成されている場合、第１画像演出区間では、図１３に示すような特定のテキスト（例えば、「ＢＩＧＢＡＮＧ ＩＳ ＶＩＰ」）の画像が、観客席における周辺側の領域（スタンド席；観客席２）に表示される第１演出シーンを生成することができ、第２画像演出区間では、第１演出シーンとは異なるシーンをなして、観客席における円形スタジアムの中央側の領域（アリーナ席；観客席１）に図１３に示すような、特定の図形及び模様がの画像が表示される第２演出シーンを生成することができる。
【００４２】
情報生成部１１０は、画像演出区間別に生成した各演出シーンに基づいて、公演会場の観客席中の座席を複数のグループにグルーピングし、グルーピングした複数のグループに関するグループ情報をそれぞれ生成することができる。例えば、第１画像演出区間で演出される第１演出シーンに類似又は同一の発光形態でグルーピングされ得るグループ単位が複数の場合、公演会場の観客席をグループ単位に対応して複数の領域に分割し、分割された各領域を各グループとして生成することができる。換言すれば、第１画像演出区間の第１演出シーンには複数のグループを含むことができる。
【００４３】
情報生成部１１０は、画像演出区間（画像演出シーン）別にそれぞれ生成された複数のグループ情報をマッピングし、マッピングされた情報を画像演出区間別の画像演出マッピングデータで構成することができる。例えば、情報生成部１１０は、下記表１のように各区間別演出情報に対応する複数のグループ情報をマッピングした画像演出マッピングデータを構成することができる。ここで、グループ情報は、画像演出区間別の各演出シーンに対応して応援用発光装置２００をグループ別に制御するためのグループ別制御情報を意味する。グループ別制御情報は、グループ割当情報及びこれに対応して設定された発光色情報を含むことができる。即ち、各画像演出区間別に同一のグループ割当情報を有する応援用発光装置２００は、互いに同一の発光色情報を含むことができる。また、同一のグループ割当情報を有する応援用発光装置２００は、各画像演出区間別に互いに異なり得る。例えば、第１画像演出区間（第１画像演出シーン）でＡグループ割当情報を有する応援用発光装置２００が第２画像演出区間（第２画像演出シーン）ではＢグループ割当情報に設定されることができる。換言すれば、第１画像演出区間（第１画像演出シーン）でＡグループに属する応援用発光装置２００と第２画像演出区間（第２画像演出シーン）でＡグループに属する応援用発光装置２００は互いに異なり得る。
【００４４】
【表１】
2020004703.tif 000003
【００４５】
中央格納部１２０はメモリ、キャッシュ、バッファなどを含んで構成されうるのであり、制御装置１００又は発光制御システム１０の他の構成要素から受信されるか、生成されたデータを格納することができる。一実施形態として、中央格納部１２０は、情報生成部１１０により生成された画像演出区間ごとの画像演出マッピングデータを格納することができる。
【００４６】
情報提供部１３０は、画像演出マッピングデータに基づいて観客席の配置図によってマッピングされている画像演出区間ごとのグループ割当情報を応援用発光装置２００のそれぞれに対して提供することができる。
【００４７】
中央制御部１４０は、画像演出マッピングデータに基づいて当該画像演出区間にて演出する演出シーンにマッピングされたグループ別に発光色情報を含む制御信号を生成し、生成された制御信号を、無線通信を介してブロードキャストすることができる。例えば、公演会場で公演を行う過程で第１画像演出区間（例えば、第１時間）に当該する場合、中央制御部１４０は第１画像演出区間（例えば、第１時間）の第１演出シーンにマッピングされた複数のグループ情報を獲得することができる。表１によれば、第１演出情報には５個のグループ（Ａ、Ｂ、Ｃ、Ｄ、Ｅ）がマッピングされており、各グループ（Ａ、Ｂ、Ｃ、Ｄ、Ｅ）はそれに対応する発光色情報（例えば、ＲＧＢ情報；具体例では256階調表示における各原色の階調値）が設定されている。中央制御部１４０は、第１画像演出区間にマッピングされた各グループとそれに対応する発光色情報を含む５個のグループ情報に対する制御信号を生成することができる。
【００４８】
実施形態において、応援用発光装置２００には、公演の演出前に予めシーン別に各応援用発光装置２００がどのグループに属しているかに関するグループ情報のみ格納しておくことができる。この場合、発光色情報（例えば、ＲＧＢの階調値などからなる色情報）は事前格納情報から除外されることができる。グループ情報は、特定の瞬間やシーンで同一の色に制御される応援用発光装置２００の束を意味し得る。即ち、特定のシーンで同一の色に共に制御される複数の応援用発光装置２００が同一のグループ情報を有するようにグループ情報が割り当てられることができ、当該グループがどんな色に制御されるかに関する情報は除外されうる。
【００４９】
このために、応援用発光装置２００には、前記割り当てられたグループ別発光色情報（例えば、色情報）を空の（ｅｍｐｔｙ）データに維持するか、又はダミー（ｄｕｍｍｙ）データ又は臨時色情報のみ記録されうる。即ち、実際のグループ別色情報は実際に公演を行いながら、リアルタイムで伝送されうる。
【００５０】
従って、本発明では実際の画像演出過程で現場の雰囲気や状況を考慮して色を可変できるため、色情報まで全て応援装置に格納しておく方式とは異なり、柔軟な画像演出が可能になる。
【００５１】
特定のシーンで特定のグループがどんな色に発光するかに関する制御情報は、中央制御部１４０により、実際の公演が行われる過程でリアルタイムで制御信号に含まれうる。
【００５２】
従来の方式のように、観客席内の全ての応援装置に個別ＩＤを付与し、個別ＩＤ別にリアルタイムで発光信号を個別に伝送すると、無線ＲＦで送信できるデータの量に限界があり、現場でスムーズな画像演出が不可能であり、制御不能状態になる応援装置が多数発生したり、制御信号の遅延によって意図していた客席イメージの演出が不可能であるという短所がある。例えば、１０、０００個の座席が配列された観客席からなる公演会場の場合、従来はそれぞれ１０、０００個の応援装置を制御するために画像演出シーン毎に１０、０００個のＲＧＢ信号値データを伝送するのであった。
【００５３】
しかし、本発明の実施形態によれば、各演出シーン別に同一に発光制御される複数の応援用発光装置２００をグループに設定し、公演時間中の各シーン別に個別の応援用発光装置２００がそれぞれどのグループに属しているかに関する情報を予め格納しておき、公演が行われる現場では制御装置１００がグループ別に色に関する情報のみ送るため、制御装置１００が各シーン別に伝送するデータの量が従来に比べて大幅に減少し得る。例えば、１０、０００個の観客席からなる公演会場の場合、特定シーンで同一の色に発光する応援用発光装置グループが２０個で構成されていれば、２０個のＲＧＢ信号値データを伝送する方式で実現することができる。従って、従来に比べて０.２％のデータの伝送だけでも同一の観客席内の画像演出シーンを実現することができる。
【００５４】
幾つかの他の実施形態において、応援用発光装置に予め格納されるグループ割当情報は、公演会場の客席全体を対象に仮想の座標系を導入及び適用し、これにより客席全体が特定の座標範囲で定義されることもできる。１個の客席座席が特定のｘｙ座標値を有することもでき、隣接する複数の客席座席が同一のｘｙ座標値を有することもできる。また、一般に用いられるｘｙ座標系以外に他の形態の座標系の導入により観客席座席の位置を特定することもできる。
【００５５】
このように、予め個別の応援用発光装置に格納されるグループ割当情報の一部又は全体が座標情報として記録される場合、公演現場にてリアルタイムに伝送される画像演出マッピングデータは、特定の色に発光する応援用発光装置を特定するために１つ以上の特定の座標値又は特定の座標範囲を基に当該座標値範囲に属する応援用発光装置が特定の色に発光するようにする制御信号を含むことができる。即ち、グループ割当情報とグループ発光色情報とが互いにマッピングされて画像演出マッピングデータを構成するとき、グループ割当情報の代わりに座標値又は座標範囲を提供できる。この場合、応援用発光装置は公演が行われる過程で画像演出マッピングデータを受信し、自身が属する座標値を基に自身が特定のグループ割当情報に含まれるかを判断し、それにより相応の色に発光することができる。公演会場の客席全体を対象に設定された座標系によるグループ情報が予め応援用発光装置に格納される場合、小規模のデータ伝送だけでも即興的な観客席上の画像演出が可能であり得る。即ち、特定の座標範囲の応援棒のみ所定の色に発光させるために画像演出マッピングデータを生成又は修正し、ブロードキャスト（無線同報通信）して可変的な観客席の画像演出が可能になり得る。
【００５６】
例えば、公演会場の観客席全体がｘｙ座標系で定義され、予め各応援用発光装置に特定の画像演出区間で所定のｘｙ座標が割り当てられている場合、リアルタイム画像演出過程で、当該画像演出区間を実現するとき、特定座標範囲（ｅｘ.{１０、１０}から{２０、１５}）が赤色（２５５、０、０）に発光するように設定された画像演出マッピングデータが伝送されると、これを受信した複数の応援用発光装置は、自身に付与された座標情報を基に自身が{１０、１０}から{２０、１５}までの範囲に属するかを自ら判断し、自身がこれに該当する場合は赤色に発光することができる。
【００５７】
他の実施形態として、図１３に示すように、特定テキスト（例えば、「ＢＩＧＢＡＮＧ ＩＳ ＶＩＰ」）と、真ん中の観客席で表示される特定図形及びデザインを１つの演出シーンとして演出するとき、特定テキストは赤色（２５５、０、０）の発光パターンで演出し、特定図形及びデザインは緑色（０、２５５、０）の発光パターンで演出すると仮定しよう。この場合、従来は演出シーンの特定パターンや発光パターンのような情報とは関係なく、全ての応援装置に対して個別にＲＧＢ信号値データを伝送することによって、図１３に示すような特定テキスト、特定図形及びデザインを演出する方式である。しかし、本発明では、演出シーンの特定パターンや発光パターンのような情報を考慮し、同一の色に発光する応援用発光装置を１つのグループにグルーピングしてグループ単位で制御する方式である。これにより、赤色（２５５、０、０）で特定テキストを演出する応援用発光装置を１つのグループで構成し、緑色（０、２５５、０）で特定図形及びデザインを演出する応援用発光装置を他の１つのグループで構成できるので、２個のグループに対するＲＧＢ信号値データ（赤色信号値及び緑色信号値）のみ伝送し、図１３のようなシーンを演出することができる。上述したように、本発明の画像演出方法は、個別に応援装置を制御する従来の方式と比較して、效果的にデータの送受信を行うことができるため、周波数帯域を効率的に用いることができ、数万個の応援用発光装置を遅延なく同時に制御することも可能である。
【００５８】
上述したように、本発明の実施形態によれば、従来の方式とは異なり、無線ＲＦデータの送出過程でデータの量が大幅に減少するため、無線帯域幅全体を用いなくても観客席の全ての応援用発光装置２００に必要なデータを伝送できるようになる。換言すれば、無線帯域幅全体のうち一部の帯域幅のみ用いて応援用発光装置２００に制御信号を送出できるので、残りの帯域幅区間は使用せず、空いている状態となる。従って、本発明の一実施形態では、空いている無線帯域幅区間を活用して動的な演出シーンを即座で演出できる。一実施形態として、制御装置１００は、空いている無線帯域幅区間を通じて新たな演出データ、又は追加されるか、変更された演出データを応援用発光装置２００に予め伝送しておくことができる。例えば、制御装置１００は、空いている無線帯域幅区間を用いてデータを伝送する場合にかかる時間を計算し、計算された時間を基に演出データを実現して予め応援用発光装置２００に送る過程を行うことができる。これにより、既存に定められた演出シーン以外にも即座で新たな演出シーンを実現できるため、公演現場で直ちに公演効果を多様に設計及び変更できる。
【００５９】
幾つかの他の実施形態において、公演が行われる現場にてリアルタイムで伝送される画像演出マッピングデータには、各グループが当該色に発光する際に必要な調光（ｄｉｍｍｉｎｇ）情報を更に含むことができる。例えば、特定の画像演出区間（観客席演出シーン）でＡグループが特定の色に発光するとき、特定の時間間隔で点灯と滅灯を繰り返さなければならない場合、点灯と滅灯信号を毎度伝送すれば、短時間にブロードキャストする信号の量が多いため、受信する応援棒が処理すべき信号の量が増加しても処理遅延が発生し得る。点滅間隔が例えば０.５秒以下に短くなると、リアルタイムで伝送する信号処理の特徴上、所定の遅延が発生して不自然な演出シーンが実現される恐れがある。従って、点滅を実現しなければならない特定画像演出区間で最初の開始時点に画像演出マッピングデータを１回のみ伝送するものの、当該画像演出マッピングデータ内に点滅間隔及び持続時間に関する情報を含め、これを受信した特定グループに属する応援用発光装置が約束された時間中、点滅する応援照明の演出を実現できる。
【００６０】
図４は、本発明の一実施形態に係る応援用発光装置の構成を示す図である。
【００６１】
本発明の一実施形態に係る応援用発光装置２００は、観客が所持して画像演出に参加するのに用いうる、発光応援棒、又は身体取り付け型デバイス（例えば、腕時計、帽子、鉢巻、ベスト、腕章などの形態の発光装置）であり得る。応援用発光装置２００は、観客席中に配列された座席に１：１でマッピングされ、公演会場の暗転又はこれに準じる状態で、観客席を、ディスプレイないし電光掲示板やメディアファサードのよう、なイメージを表示する役割を果たすこともできる。
【００６２】
一実施形態において、応援用発光装置２００には、画像演出が行われる前に予め観客席内の応援用発光装置２００を活用した客席演出データが含まれていることができる。
【００６３】
他の実施形態において、前述したように、応援用発光装置２００には公演の演出前に予めシーン別に各応援用発光装置２００がどのグループに属しているかに関するグループ情報のみ格納しておくことができる。この場合、発光色情報（例えば、色情報）は事前格納情報から除外されることができる。グループ情報は、特定の瞬間やシーンで同一の色に制御される応援用発光装置の束を意味し得る。
【００６４】
このために、応援用発光装置２００には、前記割り当てられたグループ別発光色情報（例えば、照明色情報）を空の（ｅｍｐｔｙ）データに維持するか、又はダミー（ｄｕｍｍｙ）データ又は臨時色情報のみ記録されることができる。即ち、実際のグループ別照明色情報は実際に公演を行いながら、リアルタイムで伝送されることができる。
【００６５】
即ち、特定のシーンで同一の色に共に制御される複数の応援用発光装置が同一のグループ情報を有するようにグループ情報が割り当てられることができ、当該グループがどんな色に制御されるかに関する情報は除外されることができる。実際の画像演出過程で現場の雰囲気や状況を考慮して色を可変できるため、色情報まで全て応援装置に格納しておく方式とは異なり、柔軟な画像演出が可能になる。
【００６６】
図４を参照すれば、本発明の一実施形態に係る応援用発光装置２００は、情報受信部２１０、端末格納部２２０、端末制御部２３０、及び発光部２４０を含むことができる。
【００６７】
情報受信部２１０は、他の装置と接続して情報を受信することができる。一実施形態として、情報受信部２１０は有線通信モジュール又は無線通信モジュールを含むことができ、例えばＲＦ送／受信機、ＺｉｇＢｅｅ、Ｂｌｕｅｔｏｏｔｈ（登録商標）、ＷＩＦＩモジュールなどを含むことができる。
【００６８】
応援用発光装置２００の情報受信部２１０は、制御装置１００に格納された画像演出マッピングデータから、画像演出区間別に、自身（当該応援用発光装置）の座席位置情報にマッピングされたグループ割当情報を獲得することができる。または、情報受信部２１０は、後述する座席情報処理装置３００から、自身（当該応援用発光装置）の座席位置情報に既に設定された画像演出マッピングデータを基にして、画像演出区間ごとのグループ割当情報を獲得することができる。
【００６９】
一実施形態として、情報受信部２１０は、画像演出区間ごとに自身の座席位置情報にマッピングされているグループ割当情報を受信することで、下記表２のようなグループマッピングデータを構成することができる。
【００７０】
【表２】
2020004703.tif 000004
【００７１】
前記表２は、１つの特定の応援用発光装置２００に関する、演出シーン別のグループ情報の例示的なデータであり得る。本応援用発光装置２００は、第１シーンにて、Ａグループに属し、Ａグループに属する他の応援用発光装置と同一に発光が制御されうる。そして、第２シーンにシーンが切り替わった場合、Ｃグループとして制御されうる。
【００７２】
前述したように、事前にグループ情報を応援用発光装置２００に記録する過程では、グループに関する情報のみが格納されるのであり、Ａグループがどんな発光状態（例えば、色）に発光されるかは格納されないのでありうる。従って、制御装置１００が従来の演出データを参考にし、発光色情報（例えば、色情報）を制御信号に含んで生成した後、現場に配置された全て又は一部の応援用発光装置２００に伝送することができる。例えば、事前の演出企画過程にて、第１シーンでＡグループが赤色（２５５、０、０）に制御されるものと定義されたものの、現場の雰囲気や観客との相互作用などを考慮して、Ａグループが緑色（０、２５５、０）に制御されるように、修正された制御信号がブロードキャストされうる。このとき、緑色に制御されるとしても、Ａグループに属する複数の応援用発光装置は変わらないので、Ａグループに属する複数の応援用発光装置の分布（対応する座席の分布）及びこれらが構成する形状や模様のアウトラインはそのまま維持され、Ａグループに属する応援用発光装置の色のみ緑色に発光することができる。
【００７３】
一実施形態において、互いに異なるグループとして制御されることにしていた複数のグループに同一の色制御信号を送ることによって、観客席に描き出される形状や模様のアウトラインを動的に修正することもできる。例えば、第３シーンで本応援用発光装置はＦグループに制御されることができ、制御装置１００でＦグループと隣接するＧグループを同一の色に指定して制御信号を送った場合、ＦグループとＧグループに属する複数の応援用発光装置が新たな模様や形状を実現することもできる。
【００７４】
幾つかの他の実施形態において、上記表２の第５シーンでのように、グループ割当情報の形式について、特定グループコードではない座標形式の情報とすることもできる。前述したように、応援用発光装置に予め格納されるグループ割当情報は、公演会場の観客席を構成する全ての座席を対象に仮想の座標系を導入及び適用することができ、これにより、観客席中における複数の座席がなす領域を、いずれも、特定の座標範囲で定義できるようにしうる。各座席が特定のｘｙ座標値を有することもでき、互いに隣接する複数の座席が同一のｘｙ座標値を有するようにすることもできる。また、一般に用いられるｘｙ座標系以外に、他の形態の座標系の導入により、観客席中の座席の位置を特定することもできる。応援用発光装置は、公演が行われる過程で画像演出マッピングデータを受信し、自身が属する座標値を基に自身が特定のグループ割当情報に含まれるかを判断し、それにより相応の色に発光することができる。例えば、リアルタイムに画像演出過程で、第５シーンに当該する画像演出マッピングデータは、座標{１０、１０}から座標{２０、２０}までの間の座席がなす、例えば四角形の領域について、赤色（２５５、０、０）に発光するように設定することができる。このように設定された場合、これを受信した１つの特定の応援用発光装置２００は、自身に付与された座標情報（１５、１５）を基に、自身が座標{１０、１０}から座標{２０、２０}までの範囲に属すると判断することができる。次いで、グループ発光色情報を受信した後、第５シーンで、この座標範囲（一種のグループ）に設定された色である赤色に発光することができる。
【００７５】
端末格納部２２０は、メモリ、キャッシュ、バッファなどを含んで構成でき、応援用発光装置２００、制御装置１００又は座席情報処理装置３００などの他の構成要素から受信されるか、生成されたデータを格納することができる。一実施形態として、端末格納部２２０は、情報受信部２１０により受信された、公演会場の観客席（座席が配列された部分）中における各座席の位置を示す座席位置情報、及び、座席位置情報によるグループマッピングデータを格納することができる。
【００７６】
上述したように、マッピングデータ情報受信部２１０が外部装置（例えば、制御装置１００、座席情報処理装置３００など）から公演会場の座席位置情報、座席位置情報によるグループマッピングデータの提供を受けて端末格納部２２０に格納することもできるが、実施形態によっては、観覧客が公演チケット情報をＰＣやスマート機器などを介して入力し、情報受信部２１０が入力されたチケット情報にマッピングされたグループマッピングデータを有／無線通信モジュールを介して受信して端末格納部２２０に格納することもできる。
【００７７】
端末制御部２３０は、制御装置１００から制御信号を受信することができ、このとき、応援用発光装置２００のグループ情報に該当する制御信号を選択的に受信することができる。一実施形態として、端末制御部２３０は、座席位置情報によるグループマッピングデータに基づいて応援用発光装置２００のグループ情報に該当する発光色情報のみ制御信号から選択的に抽出し、抽出した発光色情報によって発光部２４０を動作するように制御することができる。
【００７８】
発光部２４０は、１つ以上の光源素子を含むことができ、光源素子は、例えば発光ダイオード（Ｌｉｇｈｔ Ｅｍｉｔｔｉｎｇ Ｄｉｏｄｅ、ＬＥＤ）などを用いることができる。また、発光部２４０は、光源素子を用いてＲＧＢ色情報による多様な色の光を出力できる。
【００７９】
図５は、本発明の一実施形態に係る座席情報処理装置の構成を示す図である。
【００８０】
図５を参照すれば、本発明の一実施形態に係る座席情報処理装置３００は、応援用発光装置２００に予めグループ情報を入力しておくための処理を担当する装置であることができ、座席情報獲得部３１０、座席情報処理部３２０及び座席情報記録部３３０を含むことができる。
【００８１】
座席情報獲得部３１０は、公演会場の座席位置情報を獲得できる。座席位置情報は公演会場で応援用発光装置２００が配置される観客席の位置情報であって、例えば観客席の座席番号であり得る。または、観客席それぞれに対応して配置される応援用発光装置２００の位置識別のために設定した追加の情報であることもできる。
【００８２】
一実施形態として、座席情報獲得部３１０は、事前に発券された公演チケットから座席位置情報を獲得するか、応援用発光装置２００に予め設定された座席位置情報から獲得することができる。例えば、紙又はスマート機器などに発券された電子形態の公演チケット４００に印刷または表示されたバーコード、ＱＲコード（登録商標）などのような電子コード情報４０１を認識して座席位置情報を抽出することもでき、応援用発光装置２００自体に内蔵された電子コード情報や応援用発光装置２００に割り当てられた識別情報により座席位置情報を獲得することもできる。または、使用者（一つの応援用発光装置２００を持って使用する観覧客）から、直接チケットに印刷された座席番号の入力を受けて座席位置情報を獲得することもできる。
【００８３】
また、座席情報獲得部３１０はバーコード、ＱＲコード（登録商標）などといった電子コード情報を認識できる光学スキャナ又は自動カード・チケット処理機を含んで構成されうる。この場合、座席情報処理装置３００は、座席情報獲得部３１０で直接チケットの電子コード情報を認識し、これを物理的媒体又はネットワークを介して受信することができる。実施形態によって、座席情報獲得部３１０は、座席情報処理装置３００と分離されて構成されることもありうる。
【００８４】
座席情報処理部３２０は、座席位置情報を基に、当該位置に既に設定された画像演出マッピングデータを照会することができる。一実施形態として、座席情報処理部３２０は、制御装置１００又は外部サーバのデータベースに格納された画像演出マッピングデータから、当該座席位置情報にマッピングされた画像演出シーンごとのグループ情報を照会することができる。実施形態によって、座席情報処理装置３００が、事前に制御装置１００又は外部サーバのデータベースから画像演出マッピングデータを受信して格納していることもありうる。
【００８５】
また、座席情報処理部３２０は、照会した座席位置情報にマッピングされた画像演出シーンごとのグループ情報を、応援用発光装置２００に提供できる形態（例えば、上述した表２のグループマッピングデータ）に構成することができる。
【００８６】
座席情報記録部３３０は、画像演出マッピングデータを基に、画像演出シーンの情報（番号）、及び、前記画像演出シーンごとに独立して付与されるグループ情報を、当該座席位置情報を有する応援用発光装置２００に記録できる。ここで、座席情報記録部３３０は、上述したように、連番の番号が付された画像演出シーンごとに、応援用発光装置２００が属するグループの識別符号（グループ割当情報）のみをグループ情報として記録し、各グループ割当情報に対応する発光状態の情報はグループ情報として記録しないのでありうる。この場合、各グループ割当情報に対応する発光色情報は、空の（ｅｍｐｔｙ）データに維持するか、ダミー（ｄｕｍｍｙ）データ又は臨時情報を記録しておくこともできる。
【００８７】
一実施形態として、座席情報記録部３３０は、ＲＦタグ装置、ＮＦＣ入力装置、ＩＲ（Ｉｎｆｒａｒｅｄ Ｒａｙ）装置などのように情報を容易、且つ、間単に送受信できる通信装置を含んで構成されうる。この場合、座席情報処理装置３００は、座席情報記録部３３０を介して応援用発光装置２００にタグ付け(tagging)することによって座席位置情報にマッピングされた、画像演出シーン情報（番号）、及び画像演出シーンごとのグループ情報（グループ割当情報）を応援用発光装置２００に記録できる。実施形態によって、座席情報記録部３３０は座席情報処理装置３００と分離されて構成されることもありうる。
【００８８】
上述した本発明の一実施形態に係る座席情報処理装置３００の場合、特定の公演を観覧するために、観覧客がチケットと応援用発光装置２００を所持して現場に到着すると、座席情報獲得部３１０を介してチケットの整合性(compatibility)及び有効性(validity)を確認する。確認されると、座席情報処理部３２０を介して当該公演で予め事前に企画されている観客席演出データ（画像演出マッピングデータ）を照会し、当該座席についての画像演出シーンごとのグループ情報を照会して来る。照会された情報を、座席情報記録部３３０を介して応援用発光装置２００に記録する。
【００８９】
本発明の他の実施形態では、座席情報処理装置３００を経由せず、使用者（例えば、一つの応援用発光装置２００を持って使用する観覧客）が直接、応援用発光装置２００に、当該座席位置情報にマッピングされた、画像演出シーンごとのグループ割当情報を照会して記録できる。例えば、観覧客が事前に紙又は電子形態のチケット情報をＰＣやスマート機器などを介して入力し、入力したチケット情報を基に、当該公演で予め事前に企画されている観客席演出データ（画像演出マッピングデータ）を照会して、当該座席についての演出シーンごとのグループ割当情報を獲得し、獲得した当該情報をＮＦＣやＢｌｕｅｔｏｏｔｈ（登録商標）といった近距離無線通信モジュール又はマイクロ５ピンなどの有線ケーブルを介して、応援用発光装置２００に記録することもできる。この過程で、ＰＣやノートパソコンなどの装置から直接、応援用発光装置に有線又は無線で接続してデータを記録することもでき、ＰＣやノートパソコンからスマートフォンを経由して応援用発光装置にデータが記録されることもありうる。また、スマートフォンから無線インターネットモジュールなどを介して直接に、グループ情報を応援用発光装置に記録することもできる。ここで、スマートフォンなどのようなスマート機器には、本発明に係る画像演出方法を実行するためのアプリケーションがインストールされているのであり得、このようなアプリケーションを用いて上述したような過程を行うこともできる。
【００９０】
一方、座席情報処理装置３００が、上述したように、応援用発光装置２００に画像演出シーンごとのグループ情報を記録した場合、予め設定された色で、応援用発光装置２００の発光部２４０を発光させることができる。これにより、座席情報処理装置３００を介して成功裏に当該情報を応援用発光装置２００に提供したことを確認することができる。  
【００９１】
以下、制御装置１００、応援用発光装置２００、及び座席情報処理装置３００により行われる本発明に係る公演会場における画像演出方法について説明する。
【００９２】
図６は、本発明の一実施形態に係る公演会場における画像演出方法における、制御装置１００により行われる事前の画像演出の準備過程を示すフローチャートである。
【００９３】
図６を参照すれば、制御装置１００の情報生成部１１０は、公演会場における公演の進行時に、観客席の座席ごとに配置される応援用発光装置２００を用いて描き出す（演出する）演出シーン（display scene）を生成できる（Ｓ１００）。演出シーンは、一つまたは複数の画像を含みうる。この時、情報生成部１１０は、公演時間、又は、応援用発光装置２００を通じて表現すべき画像パターンなどを考慮して演出シーンを少なくとも１つ以上構成することができ、各演出シーンは、画像演出区間ごとに、対応して生成される。
【００９４】
情報生成部１１０は、画像演出区間ごとに生成された各演出シーンに基づいて、グループ単位で構成され得る発光色情報によって観客席を複数のグループにグルーピングし、画像演出区間ごとの演出シーンに含まれる複数の色領域に対応する複数のグループを生成することができる（Ｓ１１０）。ここで、一つの色領域は、色（色彩及び明度）が同一または類似あって、同一の発光色情報を付与できる範囲である。なお、本願でいう色には、黒色、すなわち、発光がなされない状態を含む。また、ここでの色領域は、一つの演出シーン中で、実質上同一の色が割当てられた領域であり、必ずしも、一つの連続した領域である必要がなく、ドット状の不連続な領域でありうる。
【００９５】
一実施形態として、情報生成部１１０は、画像演出区間ごとに生成された各演出シーンから、同一又は類似する発光色情報が付与された色領域に対応して、グループを設定した上で、観客席中に配列された座席をグループ分けする。すなわち、各座席に、一つのグループ割当情報を付与する。すなわち、観客席中の座席ごとに、演出シーン中での位置に対応する座席位置情報を基に、演出シーン中の色領域に対応するグループを決定する。したがって、演出シーン中の複数の色領域にそれぞれ対応する複数のグループを設定し、観客席に配列される座席、または、座席に一対一で対応する応援発光装置を、それぞれのグループに割り当てるのであり、このようにして、座席ごと、または、応援発光装置ごとのグループ割当情報を生成することができる。例えば、前記表１のように、第１画像演出区間の第１演出シーンが、５個の色領域で構成され、これにより、５個の発光色情報（例えば、ＲＧＢ色の組み合わせ）で演出され得る場合、情報生成部１１０は観客席中の座席の配置図に基づいて５個のグループ（例えば、Ａ、Ｂ、Ｃ、Ｄ及びＥ）に観客席中の座席を分割することで、発光色情報ごとの複数のグループを生成することができる。
【００９６】
情報生成部１１０は、複数の箇所に配置された座席についての座席位置情報及び発光色情報を基にして、画像演出区間ごとに、複数のグループをの演出シーンにマッピングして、対応する発光色情報と対応付けることで、画像演出区間ごとの画像演出マッピングデータを生成できる（Ｓ１２０）。
【００９７】
一実施形態として、画像演出マッピングデータは、画像演出区間ごとに、演出シーンと、各演出シーンに対応して生成された複数のグループ情報をそれぞれ含んで互いに対応するマッピングテーブルの形態で構成されうる。ここで、グループ情報は、当該演出シーンに対応して生成されたグループ割当情報、当該グループで演出する発光色情報、当該グループに属する座席位置情報などを含むことができる。本願における発光色情報は、応援用発光装置２００からの発光の状態を示す発光状態情報であって、ＲＧＢの階調値といった色情報（光源の明るさを含む）のみならず、光源の点滅、点滅時間、点滅速度などを含むことができるものとする。一例として、画像演出区間別の画像演出マッピングデータは、前記表１のように二次元のテーブル(表)の形態で構成されうるが、これは１つの例示に過ぎず、これに限定されるものではない。
【００９８】
情報生成部１１０は、画像演出区間別の画像演出マッピングデータを中央格納部１２０に格納することができる（Ｓ１３０）。実施形態によっては、画像演出区間ごとの画像演出マッピングデータを外部装置に伝送して外部装置に格納することもできる。
【００９９】
上述した段階Ｓ１００乃至Ｓ１３０は、制御装置１００により行われるものと説明したが、実施形態によっては、制御装置１００とは別途に構成されたシミュレーション機能を実行できる装置（以下、シミュレーション装置）により行われることもありうる。この場合、シミュレーション装置がＳ１００乃至Ｓ１３０を行い、これにより生成された画像演出区間別の画像演出マッピングデータを制御装置１００に提供することができる。この場合、情報生成部１１０は、画像演出区間ごとの画像演出マッピングデータを、シミュレーション装置から獲得して、中央格納部１２０に格納することができる。
【０１００】
図７は、本発明の一実施形態に係る公演会場における画像演出方法として応援用発光装置２００により行われる事前の画像演出準備過程を示すフローチャートである。
【０１０１】
図７を参照すれば、応援用発光装置２００の情報受信部２１０は、応援用発光装置２００が配置される公演会場の座席位置情報を獲得できる（Ｓ２００）。ここで、座席位置情報は、上述したように、公演会場の観客席中における座席の配置図によって予め設定された座席の識別情報であって、例えば観客席中の座席の番号であり得る。または、座席位置情報は座席ごとに対応して配置される応援用発光装置２００の位置の識別のために設定した追加の情報でありうるのであり、例えば観客席中の座席の番号に対応して追加で設定された位置情報でありうる。
【０１０２】
一実施形態として、情報受信部２１０は、公演のために事前に発券されたチケット情報から座席位置情報を獲得するか、応援用発光装置２００に予め設定されている識別情報を用いて座席位置情報を獲得することもできる。
【０１０３】
他の実施形態として、制御装置１００又は座席情報処理装置３００が公演のために事前に発券されたチケットから観客席の位置情報を読み取り、これを情報受信部２１０に提供することもできる。この場合、情報受信部２１０は、制御装置１００又は座席情報処理装置３００から座席位置情報を獲得して端末格納部２２０に格納することができる。
【０１０４】
情報受信部２１０は、画像演出マッピングデータから応援用発光装置２００が配置される座席位置情報にマッピングされたグループ情報を各画像演出区間ごとに獲得し、座席位置情報によるグループマッピングデータを構成できる（Ｓ２１０）。この際、情報受信部２１０は制御装置１００、座席情報処理装置３００、又は外部サーバのデータベースから、画像演出マッピングデータを照会して、伝達を受けることができる。
【０１０５】
例えば、制御装置１００、座席情報処理装置３００、又は外部サーバのデータベースから、画像演出マッピングデータが前記表１のように照会されて伝達された場合、情報受信部２１０は、第１演出情報にマッピングされた複数のグループのうち自身の座席位置情報にマッピングされているグループ情報（例えば、Ａ）を獲得し、第２演出情報にマッピングされた複数のグループのうち自身の座席位置情報にマッピングされているグループ情報（例えば、Ｃ）を獲得できる。最終的に、情報受信部２１０は、前記表２のような応援用発光装置２００の各演出シーンに対応するグループマッピングデータを構成できる。
【０１０６】
情報受信部２１０は、座席位置情報によるグループマッピングデータを端末格納部２２０に格納することができる（Ｓ２２０）。
【０１０７】
上述した本発明の一実施形態によれば、応援用発光装置２００の情報受信部２１０が段階Ｓ２００乃至Ｓ２２０を行うものと説明したが、これは１つの例示に過ぎず、本発明はこれに限定されるものではない。実施形態によって、段階Ｓ２００乃至Ｓ２２０は、制御装置１００又は座席情報処理装置３００で行われ、座席位置情報によるグループマッピングデータを応援用発光装置２００に提供することもできる。例えば、制御装置１００又は座席情報処理装置３００が公演チケットや応援用発光装置２００に設定された情報から応援用発光装置２００それぞれの座席位置情報を抽出し、抽出した座席位置情報にマッピングされたグループ情報を画像演出マッピングデータから照会してグループマッピングデータを生成し、これを応援用発光装置２００のそれぞれに提供できる。これにより、応援用発光装置２００の情報受信部２１０は、制御装置１００又は座席情報処理装置３００から自身の座席位置情報に対応するグループマッピングデータを獲得して端末格納部２２０に格納することができる。
【０１０８】
上述したような図７の実施形態は、公演前のチケット検査過程で行うことができ、上述した段階Ｓ２００乃至Ｓ２２０が完了した観客は、自身の座席位置情報に対応するグループマッピングデータが設定された応援用発光装置２００を所持し、公演会場に入場して当該観客席に位置することができる。実施形態によっては、応援用発光装置２００を公演チケットの代わりに用いることもできる。この場合、上述した段階Ｓ２００乃至Ｓ２２０を予め完了した状態で応援用発光装置２００をチケットの代わりに事前に発行して観客に配ることができ、これにより、観客は公演前のチケット検査過程で段階Ｓ２００乃至Ｓ２２０を行う必要なく、直ちに公演会場に入場することもできる。
【０１０９】
図８は、本発明の一実施形態に係る公演会場における画像演出方法として公演中に行われる過程を示すフローチャートである。図８の方法は、制御装置１００及び応援用発光装置２００により行われうる。
【０１１０】
本発明の一実施形態に係る公演会場における画像演出方法は、上述したように、事前に各応援用発光装置２００をいずれかのグループに属するものとして設定し、グループに関する情報を基に、画像演出マッピングデータを生成する過程を行うことができる。一実施形態として、制御装置１００は、公演会場の個別の座席にそれぞれ対応する複数の応援用発光装置２００を、選択的に点灯又は滅灯（消灯）する。そして、特定画像演出区間にて、公演会場の観客席上に画像（イメージ；演出シーン）を描き出すために、複数の応援用発光装置２００のうちで、特定の画像演出区間にて同一の色に発光する応援用発光装置２００同士をまとめ、同一のグループに属するものとして設定して、同一のグループ割当情報を割り当てることができる。そして、制御装置１００は、特定の画像演出区間における、グループ割当情報と前記グループの発光色に関するグループ発光色情報とを連結させた画像演出マッピングデータを生成できる。また、本発明の一実施形態によれば、事前に座席情報処理装置３００がチケット情報を基に獲得した、観客席内の座席位置情報に対応する画像演出マッピングデータのグループ割当情報を、複数の応援用発光装置２００に記録できる。
【０１１１】
その後、公演会場における公演が行われると、制御装置１００は、画像演出の順序に対応して公演進行過程中に、特定の画像演出区間に対応する画像演出マッピングデータを無線で公演会場内に伝播することができる。複数の応援用発光装置２００は、受信した画像演出マッピングデータのうち、各々に記録されたグループ割当情報に対応するグループ発光色情報によって複数の応援用発光装置２００を点灯させて公演会場の観客席上に、色を塗り分けた画像（イメージ；演出シーン）を描き出す（演出する）ことができる。以下、公演中に行われる画像演出方法について具体的に説明する。
【０１１２】
図８を参照すれば、制御装置１００の中央制御部１４０は、既に設定された画像演出マッピングデータを基に、公演の進行（公演の開始や、公演される演目の切り替わり、クライマックス期間の開始及び終了など）に応じて、予め設定されているグループごとに制御信号を生成することができる（Ｓ３００）。ここでのグループは、予め設定されている画像演出区間ごとに、すなわち、当該画像演出シーンごとに、画像演出情報に、予めマッピングされている。
【０１１３】
一実施形態として、画像演出区間が所定の条件により決定された場合、中央制御部１４０は、画像演出マッピングデータから、決定された当該画像演出区間にマッピングされた複数のグループ情報を獲得し、グループごとの制御信号を生成できる。ここで、所定の条件は、公演会場における公演を行うことによって、時間の経過に伴い、画像演出マッピングデータにて設定された順に画像演出区間が定められうるのであり、公演運営者（公演を主催する側の担当者）または使用者（例えば、各自の応援用発光装置２００を持って画像演出に参画する観覧客）から、特定画像演出区間や特定の演出シーンを要請する画像演出要請信号を受信することによって定められることもありうる。なお、前述のように、画像の演出が、公演会場内の音響装置、照明装置などと同期化するように、各画像演出区間の開始及び終了のタイミングを決定することができ、このようなタイミングにしたがって制御信号を生成することもできる。前記表１のように画像演出区間ごとの画像演出情報が含まれる画像演出マッピングデータが生成されている場合を例として挙げる。ここで、公演の進行に伴い、第２画像演出区間に該当する第２演出シーンを演出することと決定された場合、中央制御部１４０は、第２演出シーンにマッピングされた３個のグループ（例えば、Ａ、Ｂ、Ｃ）と、それに対応する各発光色情報（例えば、ＲＧＢ色情報）を獲得できる。その後、中央制御部１４０は、決定された当該画像演出区間情報（例えば、第２画像演出区間）、これにマッピングされた複数のグループ情報（例えば、３個のグループ割当情報及びこれに対応する各グループの発光色情報）などを含む制御信号を生成できる。
【０１１４】
また、中央制御部１４０は通信状態、演出シーンなどに応じて、リアルタイムで応援用発光装置２００の制御のための制御信号を生成することもできる。一実施形態として、画像演出者がリアルタイムで特定の画像演出区間の演出シーンを制御したり、既に設定された演出シーンを変更しようとする場合、中央制御部１４０は、特定の画像演出区間にてマッピングされる複数のグループのそれぞれについて、制御しようとする制御情報を含む制御信号を生成することができる。例えば、特定の画像演出区間の演出シーンが複数のグループにのみマッピングされており、各グループの発光色情報を設定しない場合、中央制御部１４０は演出しようとする演出シーンに応じて各グループ別に応援用発光装置２００の発光色情報を公演中に構成して制御信号を生成することによって、リアルタイムでグループ別に応援用発光装置２００を制御できる。または、特定の画像演出区間にマッピングされた、グループごとに既に設定された発光色情報（例えば、ＲＧＢなどの各基本色の階調値の情報）を、変更して演出しようとする場合、中央制御部１４０は、グループごとに発光色情報（例えば、ＲＧＢ色情報）を変更して制御信号を構成することができる。これにより、本発明の実施形態では、リアルタイムで、グループ別に応援用発光装置２００の発光色情報を制御できるので、多様な演出シーンを提供できるという効果が得られる。
【０１１５】
中央制御部１４０は、当該画像演出区間の演出情報によって生成されたグループ別制御信号を、無線通信を通じてブロードキャストすることができる（Ｓ３１０）。
【０１１６】
一実施形態として、中央制御部１４０は、グループごとに生成された制御信号を互いに異なる周波数帯域を用いてそれぞれ送ることができる。例えば、第１グループの制御信号は第１周波数帯域を通じて送り、第２グループの制御信号は第２周波数帯域を通じて送ることができる。
【０１１７】
応援用発光装置２００の端末制御部２３０は、制御装置１００から制御信号を選択的に受信することができる（Ｓ３２０）。
【０１１８】
一実施形態として、端末制御部２３０は、端末格納部２２０に格納されたグループマッピングデータから、当該画像演出区間にマッピングされているグループ割当情報を抽出し、ブロードキャストされた制御信号のうち、抽出された自身のグループ割当情報に該当する制御信号のみを選択的に受信することができる。
【０１１９】
応援用発光装置２００の発光部２４０は、選択的に受信した制御信号に基づき、自身のグループ情報に対応する応援用発光装置２００の発光色情報にしたがって動作することができる（Ｓ３３０）。
【０１２０】
一実施形態として、端末制御部２３０は、端末格納部２２０に格納された自身の座席位置情報にしたがって、グループマッピングデータから、自身のグループ情報にマッピングされた発光色情報（例えば、ＲＧＢ色情報）を照会し、これにより発光部２４０の発光を調節できる。他の実施形態として、応援用発光装置２００の端末制御部２３０により選択的に受信された制御信号に発光色情報が含まれている場合、端末制御部２３０は、制御信号に含まれている発光色情報（例えば、ＲＧＢ色情報）に基づいて当該画像演出区間に発光部２４０の発光を調節できる。
【０１２１】
また、本発明の実施形態によれば、制御装置１００は、中央制御装置から信号を受信して、公演会場内の音響装置、照明装置などと同期化して作動し得る。この場合、制御装置１００及び応援用発光装置２００は、中央制御装置から同期化信号を受信して段階Ｓ３００乃至Ｓ３３０を公演会場内の音響装置、照明装置などと同期化して自動で進行できる。
【０１２２】
図９は、本発明の一実施形態に係る公演会場における画像演出方法として制御装置１００により公演中に行われる過程の一例を示すフローチャートである。
【０１２３】
図９を参照すれば、制御装置１００の中央制御部１４０は、画像演出マッピングデータに基づき、公演の進行に応じて、各画像演出区間（各画像演出シーン）でのグループごとの制御情報を決定できる（Ｓ４００）。
【０１２４】
ここで、画像演出マッピングデータは、上述したように、公演会場の観客席中の座席ごとに配置される応援用発光装置２００を用いて演出する演出シーンを、公演の進行にしたがって決められる画像演出区間ごとに生成し、画像演出区間ごとの演出シーンに対応して、応援用発光装置２００をグループ別に制御するためのグループ別制御情報をマッピングした情報であり得る。また、グループ別制御情報は、画像演出区間別に生成された各演出シーンに基づいて同一の発光色情報で構成される応援用発光装置２００をグループ化して生成されたグループ情報（例えば、グループ割当情報）及び各グループ情報に関連付けられた発光色情報を含むことができる。
【０１２５】
一実施形態として、中央制御部１４０は、画像演出マッピングデータに設定された画像演出区間の順序に基づいて当該画像演出区間を決定するか、使用者から受信した画像演出要請信号に基づいて当該画像演出区間を決定できる。当該画像演出区間が決定されると、制御装置１００の中央制御部１４０は、画像演出マッピングデータに基づいて当該画像演出区間にマッピングされたグループ別制御情報を獲得できる。
【０１２６】
制御装置１００の中央制御部１４０は、当該画像演出区間に関する情報及び当該画像演出区間でのグループ別制御情報を基に制御信号を生成できる（Ｓ４１０）。
【０１２７】
一実施形態として、中央制御部１４０は、当該画像演出区間でグループ別に予め設定された発光色情報を含んで制御信号を生成できる。または、当該画像演出区間にマッピングされたグループ情報に基づいてリアルタイムでグループ別発光色情報を構成して制御信号を生成することもできる。この場合、リアルタイムでグループ別に応援用発光装置２００の発光色情報を制御できるので、多様な演出シーンを提供できるという効果が得られる。
【０１２８】
制御装置１００の中央制御部１４０は、制御信号を、無線通信を通じて公演会場内の応援用発光装置２００にブロードキャストできる（Ｓ４２０）。
【０１２９】
本発明の一実施形態に係る応援用発光装置２００は、公演会場の座席位置情報に基づいてマッピングされ、マッピングされた座席位置情報を基に、画像演出区間ごとに生成されたグループ制御情報を、端末格納部２２０に予め格納している。そのため、中央制御部１４０からブロードキャストされた制御信号から、自身のグループ制御情報（例えば、グループ割当情報及び発光色情報）を選択的に抽出でき、抽出した自身のグループ制御情報（例えば、発光色情報）にしたがって発光状態を制御できる。
【０１３０】
また、制御装置１００の中央制御部１４０は、応援用発光装置２００がマッピングされた座席位置情報に基づいて応援用発光装置２００をグループ化して、グループ別制御情報を生成するので、公演会場内の全ての応援用発光装置２００を個別に制御するものではなく、同じグループに属する応援用発光装置２００を１つの単位として取り扱って制御できるようになる。従って、公演会場内に数千〜数万個の応援用発光装置２００が存在しても、効率的にグループごとに制御できる。
【０１３１】
図１０は、本発明の一実施形態に係る公演会場における画像演出方法として応援用発光装置２００により公演中に行われる過程の一例を示すフローチャートである。
【０１３２】
図１０を参照すれば、複数の応援用発光装置２００が第１画像演出シーン（第１画像演出区間）を観客席上に実現するために、制御装置１００から送られた第１制御信号を受信することができる（Ｓ５００）。
【０１３３】
複数の応援用発光装置２００は、複数の応援用発光装置２００のそれぞれに予め格納されている第１画像演出シーンでのグループ割当情報を照会することができる（Ｓ５１０）。
【０１３４】
このとき、複数の応援用発光装置２００のそれぞれは、公演会場の座席位置情報に基づいてマッピングされており、マッピングされた座席の位置情報のそれぞれを基に画像演出シーンごとに生成されたグループ制御情報（例えば、グループ割当情報）が予め格納されている。実施形態として、応援用発光装置２００の端末格納部２２０には、前記表２のような画像演出シーンごとのグループ制御情報を含むグループマッピングデータが格納されている。従って、複数の応援用発光装置２００のそれぞれは、端末格納部２２０に格納されたグループマッピングデータから第１画像演出シーンにマッピングされた自身のグループ割当情報を獲得できる。
【０１３５】
複数の応援用発光装置２００のうち、第１画像演出シーンにて、同一のグループ割当情報を有する第１Ａ応援用発光装置グループが、第１制御信号にしたがって、同一の発光色情報（例えば、同じ発光色情報）を基に、同じ状態（例えば、同じ色）に発光することができる（Ｓ５２０）。
【０１３６】
一実施形態として、第１制御信号は、第１画像演出シーンを実現するために、それぞれが互いに対をなすように連結されている、複数のグループ割当情報及び複数のグループについての、それぞれの対に関する発光色情報（グループ発光色情報）を含むことができる。また、第１制御信号は、第１画像演出シーンにて、第１Ａ応援用発光装置グループと異なるグループ割当情報を有する、第１Ｂ応援用発光装置グループに関する発光色情報を含むことができる。
【０１３７】
複数の応援用発光装置２００は、制御装置１００から第１制御信号を受信した後、第１画像演出シーンと異なる第２画像演出シーン（第２画像演出区間）を観客席上に実現するために、制御装置１００から送られた第２制御信号を受信することができる（Ｓ５３０）。
【０１３８】
この場合、複数の応援用発光装置２００は、複数の応援用発光装置２００のそれぞれに予め格納されている第２画像演出シーンでのグループ割当情報を照会し（Ｓ５４０）、複数の応援用発光装置２００のうち第２画像演出シーンで同一のグループ割当情報を有する第２Ａ応援用発光装置グループが第２制御信号にしたがって同一の発光色情報（例えば、同一のグループ発光色情報）を基に同じ状態（例えば、色）に発光することができる（Ｓ５５０）。
【０１３９】
ここで、第２制御信号は、第２画像演出シーンを実現するために、それぞれが互いに対をなすように連結されている複数のグループ割当情報及び複数のグループについての、それぞれの対に関する発光色情報（グループ発光色情報）を含むことができる。また、第１Ａ応援用発光装置グループに属する複数の応援用発光装置２００と、第２Ａ応援用発光装置グループに属する複数の応援用発光装置２００とは、互いに異なるのであり得る。
【０１４０】
本実施形態において、複数の応援用発光装置２００は、公演会場の個別の座席に対応して互いに独立して点灯又は滅灯（消灯）して、公演会場の観客席上に、文字や図形のパターンとしての画像（イメージ；演出シーン）を実現し、第１画像演出シーン又は第２画像演出シーンを実現するために、それぞれが互いに対をなすように連結されているグループ割当情報とグループ発光色情報のうち、前記グループ割当情報を、第１制御信号又は第２制御信号の受信の前に予め格納している。
【０１４１】
例えば、複数の応援用発光装置２００のうち、第１応援用発光装置の場合、第１画像演出シーンに対応して、予め自身の中に記録されているグループ割当情報を基に、第１制御信号内のグループ割当情報に対応するグループ発光色情報を獲得し、獲得したグループ発光色情報に対応して、第１画像演出シーンにて、所定の色に発光することができる。ここで、複数の応援用発光装置２００のうち、第２応援用発光装置が第１応援用発光装置と同一のグループ割当情報を含む場合、第２応援用発光装置は、第１画像演出シーンにて、第１応援用発光装置と同一の色に発光することができる。反面、第２応援用発光装置が第１応援用発光装置と異なるグループ割当情報を含む場合、第２応援用発光装置は、第１画像演出シーンにて、第１応援用発光装置と異なる色に発光することができる。
【０１４２】
図１１は、本発明の一実施形態に係る公演会場における画像演出方法として、座席情報処理装置３００により行われる事前画像演出準備過程の一例を示すフローチャートである。
【０１４３】
図１１を参照すれば、座席情報処理装置３００が入場チケットに含まれている電子コード情報（例えばバーコード）または電子情報、例えば、観客席中の座席の位置を示す座席情報を読み取り、座席の位置情報を獲得し（Ｓ６００）、獲得された座席位置情報を基に、前記位置に該当する個別の座席の位置に既に設定されている画像演出マッピングデータを照会することができる（Ｓ６１０）。
【０１４４】
座席情報処理装置３００が画像演出マッピングデータを基に、複数の画像演出シーン及び複数の画像演出シーンのそれぞれ毎に独立して付与されるグループ割当情報を複数の応援用発光装置２００のうち第１応援用発光装置２００に記録できる（Ｓ６２０）。ここで、グループ割当情報は、複数の画像演出シーンのそれぞれ毎に観客席上に実現しようとするイメージに対応して同一の色に発光する複数の応援用発光装置２００の一部を同一グループに設定したものであり得る。即ち、第１応援用発光装置２００のグループ割当情報は、互いに異なる複数の画像演出シーンに関する識別情報及び各画像演出シーンで第１応援用発光装置２００が属するグループに関するマッピング情報を含むことができる。
【０１４５】
一実施形態として、複数の応援用発光装置２００のうち一部は、同一のグループ割当情報を有することができる。また、複数の画像演出シーン別に同一の発光状態に発光する応援用発光装置２００には、同一のグループ割当情報が割り当てられ、同一のグループ割当情報を有する複数の応援用発光装置２００は、複数の画像演出シーン別に互いに異なり得る。例えば、第１画像演出シーンで、第１発光状態に発光する応援用発光装置２００には、第１グループ割当情報が割り当てられ、第２発光状態に発光する応援用発光装置２００には、第２グループ割当情報が割り当てられることができる。また、第１画像演出シーンで第１グループに属する応援用発光装置２００と第２画像演出シーンで第１グループに属する応援用発光装置２００は互いに異なり得る。
【０１４６】
複数の画像演出シーン及び複数の画像演出シーンのそれぞれ毎に独立して付与されるグループ割当情報を記録した応援用発光装置２００は、座席位置情報にマッチして配られることができる。例えば、段階Ｓ６００乃至Ｓ６２０が完了した観客は、自身の座席位置情報に対応する複数の画像演出シーン別のグループ割当情報が記録された応援用発光装置２００を所持し、公演会場に入場して当該観客席に位置することができる。実施形態によっては、段階Ｓ６００乃至Ｓ６２０が予め完了した状態で応援用発光装置２００を事前に発行して観客に配ることもできる。
【０１４７】
図１２は、本発明の一実施形態に係る公演会場における画像演出方法として座席情報処理装置３００により行われる事前の画像演出準備過程の他の例を示すフローチャートである。
【０１４８】
本発明の一実施形態では、特定公演を観覧するための観覧客が事前に発券された紙形態又は電子形態の公演チケットと共に予め購入するか、配布した応援用発光装置２００を所持して公演現場に到着することができ、公演現場では公演運営者が座席情報処理装置３００を介して観覧客が所持している応援用発光装置２００に公演会場の客席での画像演出シーンのための情報を提供できる。
【０１４９】
図１２を参照すれば、観覧客が事前に発券された公演チケットを公演運営者に提供できる（Ｓ７００）。
【０１５０】
一実施形態として、観覧客は、紙に印刷されたり、スマート機器などを介して発券されたバーコード、ＱＲコード（登録商標）などのような電子コード情報を含むチケットを公演運営者に提供できる。ここで、電子コード情報は、公演会場の客席情報として観覧客が公演時に着席する座席番号であり得る。
【０１５１】
公演運営者は、座席情報処理装置３００を介してチケットに含まれている電子コード情報を認識して座席位置情報を獲得できる（Ｓ７１０）。
【０１５２】
一実施形態として、公演運営者が管理するコンピューターシステムは、電子コード情報を認識できる光学スキャナ又はキオスクなどのような装置で構成された座席情報処理装置３００の座席情報獲得部３１０を介してチケット情報を認識し、観覧客の座席位置情報を確認することができる。このとき、座席位置情報は、観覧客が公演時に着席する座席番号に相応する情報であって、これを基に観覧客が所持している応援用発光装置２００の位置を識別するための情報として用いることができる。換言すれば、応援用発光装置２００は、観客席の座席と１：１でマッピングされて配置されるので、観覧客のチケット情報から自身の座席位置情報を獲得できる。
【０１５３】
公演運営者が管理するコンピューターシステムは、座席情報処理装置３００を介して当該公演に予め企画されている画像演出マッピングデータから座席位置情報にマッピングされている画像演出シーン別グループ情報を照会することができる（Ｓ７２０）。
【０１５４】
一実施形態として、公演運営者が管理するコンピューターシステムは、座席情報処理装置３００の座席情報処理部３２０を介して当該公演の画像演出マッピングデータを格納している外部サーバのデータベース又は制御装置１００に接続してチケット情報から獲得した座席位置情報を提供し、提供した座席位置情報を基に当該位置に予めマッピングされた当該公演の画像演出マッピングデータを照会することができる。
【０１５５】
公演運営者が管理するコンピューターシステムは、座席情報処理装置３００を介して、座席位置情報に予めマッピングされている画像演出シーンごとのグループ情報を獲得できる（Ｓ７３０）。
【０１５６】
一実施形態として、公演運営者が管理するコンピューターシステムは、座席情報処理装置３００の座席情報処理部３２０を介して外部サーバのデータベース又は制御装置１００から座席位置情報に予めマッピングされている画像演出シーン別グループ情報を受信することができる。
【０１５７】
公演運営者が管理するコンピューターシステムは、座席情報処理装置３００を介して座席位置情報に予めマッピングされた当該公演の画像演出シーン情報及び前記画像演出シーン別グループ情報を観覧客が所持している応援用発光装置２００に記録できる（Ｓ７４０）。
【０１５８】
一実施形態として、公演運営者が管理するコンピューターシステムは、ＲＦタグ装置、ＮＦＣ入力装置、ＩＲ（Ｉｎｆｒａｒｅｄ Ｒａｙ）装置などのような装置で構成された座席情報処理装置３００の座席情報記録部３３０を介して観覧客が提供した応援用発光装置２００をタギングすることによって、当該公演の画像演出シーン情報及び前記画像演出シーン別グループ情報を応援用発光装置２００に提供できる。
【０１５９】
観覧客は、段階Ｓ７４０で記録された情報を含む応援用発光装置２００を所持し、公演会場に入場してチケット情報に該当する座席に位置することができる。
【０１６０】
図１３は、本発明の一実施形態によって公演会場の観客席で演出される演出シーンの一例を示す図である。
【０１６１】
一実施形態において、制御装置１００は、観客席の位置情報に基づいて応援用発光装置２００を用いて観客席で演出する演出シーンを事前に構成することができる。このとき、公演進行中に演出するシーンに応じて複数の演出シーンを構成しておくことができる。図１３は、複数の演出シーンのうち１つの演出シーン（５００、以下、第１演出シーンという）を例として示すものである。具体的には、京セラ大阪ドームを想定している。第１演出シーン５００は、観客席の周辺側の領域（スタンド席（「観客席２」；主として固定式の座席が階段状に配列された領域）；グランドに座席が平面的に配列された領域）に沿って表示される「ＢＩＧＢＡＮＧ ＩＳ ＶＩＰ」という特定テキスト５０１と、観客席の中央側の領域（アリーナ席（「観客席１」）；グランドに可動式の座席が平面的に配列された領域）に表示された特定図形５０２などで構成されている。制御装置１００は、第１演出シーン５００を基に同一の発光色情報（例えば、色情報）で構成される応援用発光装置２００をグループに束ね、第１演出シーン５００に対して複数のグループを生成することができる。例えば、特定テキスト（「ＢＩＧＢＡＮＧ ＩＳ ＶＩＰ」）５０１に含まれている各文字をそれぞれのグループで構成し、特定図形５０２をそれぞれのグループで構成することができる。このとき、それぞれのグループは、当該文字や図形を表示する観客席に位置する複数の応援用発光装置２００を含むことができる。即ち、制御装置１００は、第１演出シーン５００の演出パターン（例えば、色情報）を考慮して観客席の位置情報を基に第１グループ乃至第ｎグループに観客席の応援用発光装置２００をグループ化することができる。
【０１６２】
応援用発光装置２００は、公演会場の観客席に１：１でマッピングされて配置されることができ、観客席の位置情報を基に公演前に予め各演出シーン別に割り当てられたグループ情報を格納している。例えば、第１応援用発光装置５１０は、自身の座席位置情報を基に第１演出シーン５００で第１グループに属するものと設定されることができる。
【０１６３】
公演が行われると、制御装置１００は、事前に構成された演出シーン別に設定されているグループ情報に基づいて制御信号を生成し、これを無線通信を介してブロードキャストできる。例えば、公演進行中に第１演出シーン５００を演出する場合、制御装置１００は、第１演出シーン５００に設定されている第１グループ乃至第ｎグループそれぞれの発光色情報（例えば、色情報）を含む制御信号を生成して送ることができる。このとき、公演現場の雰囲気や演出効果などを考慮してリアルタイムでグループ別に発光状態を制御するか、動的に演出シーンを変更できる。例えば、制御装置１００は、第１グループに既に設定されている赤色情報を現場でリアルタイムに緑色に変更して制御信号を送ることによって、第１グループに属する応援用発光装置２００の発光状態を制御できる。または、互いに隣接している第１グループ及び第２グループのそれぞれに既に設定されている色情報の代りに、互いに同一の色情報の制御信号を送ることによって、第１グループ及び第２グループで実現される形態のアウトラインを動的に修正することもできる。
【０１６４】
応援用発光装置２００は、制御装置１００から第１演出シーン５００に関するグループ別発光色情報（例えば、色情報）を含む制御信号を受信する場合、応援用発光装置２００に予め格納されている第１演出シーン５００でのグループ割当情報を照会し、照会したグループ割当情報に当該する発光色情報（例えば、色情報）によって動作できる。例えば、第１応援用発光装置５１０は、公演前に予め第１演出シーン５００で第１グループに属するものとしてグループ割当情報が割り当てられているので、制御装置１００から第１演出シーン５００に対する制御信号を受信すると、制御信号のうち第１グループに設定されている発光色情報（例えば、色情報）によって動作できる。
【０１６５】
図１４は、本発明の一実施形態によって公演会場の観客席で演出される演出シーンのグループ情報を説明する図である。
【０１６６】
本発明の一実施形態に係る各演出シーンは、複数のグループにグループ化して表現されることができ、各グループは、グループ割当情報及び前記グループ割当情報に対応する発光色情報（例えば、色情報）を含んで構成されることができる。説明の便宜上、図１４は、第１グループ乃至第ｎグループで構成された演出シーンで一部のグループのみを示す図である。本実施形態では、観客席の座席を特定構成単位で束ねて１つのグループで構成する方式について説明する。例えば、第１グループ乃至第４グループ（６００〜６０３）のそれぞれは、観客席の座席をＭ×Ｎの構成単位にして区分しておいたものである。この場合、第１グループ乃至第４グループ（６００〜６０３）のそれぞれは、互いに異なる色情報で演出されることもでき、互いに同一の色情報で演出されることもできる。また、１つのグループは、更に下位のサブグループで構成されることができる。例えば、第４グループ６０３は、サブグループ４-１乃至４-ｎを含むことができ、このとき、各サブグループは１×Ｎの構成単位からなることができる。このように、サブグループを含む場合、１つのグループ内でもグラデーション、波乗り、順次点灯及び消灯などの多様な演出を行うことができる。
【０１６７】
上述したような本発明の一実施形態によれば、各演出シーンを特定構成単位に区画化して形成できるため、公演実行中にリアルタイムで演出シーンを修正又は変形することが容易である。従って、現場の雰囲気、観客との相互作用、動的な演出効果などを重視する公演の場合、特定構成単位でグループを予め形成して客席の演出データを構成することが効果的である。
【０１６８】
本発明の実施形態と関連して説明された方法又はアルゴリズムの段階は、ハードウェアで直接実現するか、ハードウェアにより行われるソフトウェアモジュールで実現するか、又はこれらの結合により実現することができる。ソフトウェアモジュールは、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、ＥＰＲＯＭ（Ｅｒａｓａｂｌｅ Ｐｒｏｇｒａｍｍａｂｌｅ ＲＯＭ）、ＥＥＰＲＯＭ（Ｅｌｅｃｔｒｉｃａｌｌｙ Ｅｒａｓａｂｌｅ Ｐｒｏｇｒａｍｍａｂｌｅ ＲＯＭ）、フラッシュメモリ（Ｆｌａｓｈ Ｍｅｍｏｒｙ）、ハードディスク、脱着型ディスク、ＣＤ-ＲＯＭ又は本発明が属する技術分野において周知されている任意の形態のコンピュータ読み取り可能な記録媒体に存在することもできる。
【０１６９】
以上、添付の図面を参照して本発明の実施形態を説明したが、本発明が属する技術分野における通常の技術者は、本発明がその技術的思想や必須の特徴を変更することなく、他の具体的な形態で実施され得ることが理解できるはずである。従って、以上で記述した実施形態はあらゆる面で例示的なものであり、制限的ではないものとして理解すべきである。
【０１７０】
本発明の好ましい一実施形態によると、次のとおりである。
【０１７１】
近年、サッカーや野球などの運動競技と、大規模なコンサートとを行なうことができる多目的スタジアムが各地に建設されて利用されている。例えば、円形のスタジアムとして、大阪ドーム（京セラドーム大阪）があり、日没後に、大規模なコンサートを行なうのに用いられている。コンサートの際には、円弧状に配置された階段状の席（スタンド席）だけでなく、その内側のアリーナ席にも座席が並べられる。また、近年、コンサートライトや、ペンライトと呼ばれる発光装置、特には鮮やかな蛍光色の発光装置を各観覧客が持って、振り回したり、一斉に点灯したりするといったことが行なわれている。会場の雰囲気を盛り上げて、公演の出演者などに対して応援を行なうものといえる。この場合、舞台から、発光パターンが見えるだけでなく、例えば、スタンド席からは、対向する側のスタンド席、及び、アリーナ席に演出された発光パターンを見ることができ、また、アリーナ席からスタンド席の発光パターンを見ることができる。また、ナイターなどの日没後の競技にて、観客席の観覧客が、各自の発光装置を振って応援を行なうこともありうる。
【０１７２】
観覧客ごとに手に持つか、または身に着ける発光装置は、特には、ＬＥＤ光源を備えたものである。最近、ペンライト型（「応援棒」の形態）またはリストバンド型（腕時計または腕環型）であって、公演出演者が点灯を制御できる無線型のものも用いられている（2014/1/15 7:00日本経済新聞  電子版「ＩＴで輝く音楽ライブ  無線技術で会場が光の海に」）。特には、「座る場所によって観客を10グループに分割」し、「各グループのペンライトに点灯させる色や明るさが変わるように」するといったことも行なわれた。
【０１７３】
本発明の一実施形態で用いる応援用発光装置は、広範な色（色彩及び明度）を表現可能なものであり、具体的には、ＲＧＢなどの各基本色のＬＥＤ光源を備えるか、または、青色または紫外光のＬＥＤ光源と、各基本色の色変換素子とを組み合わせたもの、または、白色ＬＥＤと色フィルタとを組み合わせたものでありうる。また、本発明で用いる応援用発光装置は、このような発光部とともに、少なくとも、通信機能を備えるものである。ここでの通信機能は、直接に、公演運営者のシステム(公演の主催者または出演者が管理するコンピューターシステム)と無線接続するものであってもよく、また、観覧客のスマート機器に無線または有線で接続されて、スマート機器を介して、公演運営者のシステムとの通信を行なうものであってもよい。したがって、図４に示す、応援用発光装置２００に含まれる、情報受信部２１０、端末格納部２２０及び端末制御部２３０は、部分的にスマート機器に含まれるものであってもよい。この場合、応援用発光装置２００は、一種の無線ペンライトと、スマート機器の一部とから構成される。本願での無線通信は、ラジオ波（30〜300MHz）により行なうことができるが、赤外線により行なうものでもよい。
【０１７４】
本発明の一実施形態によると、各応援用発光装置を、フルカラーのマトリクス型の表示装置における画素（pixel）のように、自由に発光を制御することで、多彩な画像を、観客席上に、順次に表示することを可能にする。特には、観客席の複数の部分（例えば、スタンド席と、その内側のアリーナ席、または、スタンド席の一塁側と三塁側）に、それぞれ画像を表示することで、一つの演出シーンを作り上げる。この演出シーンは、公演の進行に合わせて、適当なタイミングで、順次、切り替えて行く。
【０１７５】
本発明の一実施形態では、各応援用発光装置と、公演運営者のシステムとの間のデータ通信量を最小限にすることを可能にすべく、下記Ａ〜Ｃのとおりとしている。
【０１７６】
Ａ１  各演出シーンは、比較的少数の色により表現するようにする。すなわち、例えば３０個以下、２０個以下、１０個以下または５個以下の色により表現されるようにする。各色の領域は、一つの連続したものであっても良く、多数の箇所に分散して配置されるものであっても良い。
【０１７７】
Ａ２  観客席中の座席の位置を示す座席位置情報を、予め各応援用発光装置に格納しておく。例えば、入場時、公演チケットの発券時、または、入場後に、公演チケットに含まれる情報に基づいて、座席位置情報を取得して格納しておく。
【０１７８】
Ａ３  各演出シーンは、各色の領域についての、色（色彩及び明度）と、その範囲についての情報（すなわち、対応する座席位置情報の集合）との組み合わせによって表現することができる。
【０１７９】
Ａ４  各色の領域を表現するにあたり、座席位置情報ごとに、すなわち、応援用発光装置ごとに、対応する色領域の識別符号や識別番号を、グループ割当情報として関連付ける。演出シーンの連番の番号に、このグループ割当情報を関連付けたものをグループマッピングデータとする（表２）。
【０１８０】
Ａ５  演出シーンごとに、色の領域の識別符号または識別番号を、色（色彩及び明度）の情報に関連付けて、画像演出マッピングデータとする（表１）。
【０１８１】
Ａ６  注目する演出シーンを表示する前に、各応援用発光装置には、これに対応するグループマッピングデータ及び画像演出マッピングデータが提供されるようにする。すなわち、少なくとも、注目する演出シーンについての、グループマッピングデータ及び画像演出マッピングデータが提供されるようにする。この際、まず、グループマッピングデータが提供される。そのため、各応援用発光装置は、グループマッピングデータ（注目する演出シーンについてのグループ割当情報）に基づいて、自身が発光する予定の色情報のみを取得する。すなわち、各演出シーンにて他のグループ（他の色の領域）の色情報は、受信したとしても、端末格納部に格納しない。
【０１８２】
Ａ７  公演の進行に合わせて演出シーンを切り替えるべく、公演運営者のシステムから、各応援用発光装置に制御信号がブロードキャスト（無線同報通信）される。
【０１８３】
Ａ８  ブロードキャストされる制御信号に、次にに表示される演出シーン、またはそれより後に表示される演出シーンについての、画像演出マッピングデータを含ませることができる（図８）。
【０１８４】
Ａ９  グループマッピングデータは、上記Ａ２の座席位置情報取得時に、各応援用発光装置に格納しておくことができる（図１１）。
【０１８５】
Ａ１０  上記Ａ８〜Ａ９のように行なうと、各演出シーンにて、色領域の数及び範囲は既に設定されているが、具体的な色（明度を含む）は、会場の雰囲気などに合わせて、公演の進行中に適宜変更することができる。また、隣接する色領域に、同一の色情報を設定すれば、２つの色領域が合併されるので、それらの間の境界は表示されなくなる。
【０１８６】
Ａ１１  グループ割当情報を、座標位置の範囲によって表現するならば、制御信号に含ませてブロードキャストすることで、この範囲にある応援用発光装置に、新たなグループマッピングデータを付与するか、または、格納されているグループマッピングデータを少なくとも部分的に修正することができる。
【０１８７】
Ａ１２  発光色情報には、点滅間隔及び持続時間に関する情報を含めることができる。これにより、所定の演出シーンを演出する間に、所定のグループの応援発光装置を所定の具合に点滅させることができる。なお、本願では、黒色、及び、点滅の状態も含めて、発光の「色」と呼ぶ。
【図１】
2020004703.tif 000005
【図２】
2020004703.tif 000006
【図３】
2020004703.tif 000007
【図４】
2020004703.tif 000008
【図５】
2020004703.tif 000009
【図６】
2020004703.tif 000010
【図７】
2020004703.tif 000011
【図８】
2020004703.tif 000012
【図９】
2020004703.tif 000013
【図１０】
2020004703.tif 000014
【図１１】
2020004703.tif 000015
【図１２】
2020004703.tif 000016
【図１３】
2020004703.tif 000017
【図１４】
2020004703.tif 000018